(57)【要約】【課題】本発明は、地震時におけるコンクリート壁の倒れを抑制しつつ、地震時に下側水平部材と上側水平部材とが相対変位した場合でも、その相対変位を吸収可能にしてコンクリート壁の破損を抑制することを目的とする。【解決手段】コンクリート壁接合構造３０は、下側スラブ１２と上側スラブ１４との間に配置されるコンクリート壁２０と、下側スラブ１２とコンクリート壁２０とを連結する連結筋３６と、上側スラブ１４とコンクリート壁２０の上端部との間に隙間Ｄを空けた状態で、上側スラブ１４とコンクリート壁２０とを連結するブラケット４０と、を備える。【選択図】図１
2020007780.tif 000002
【特許請求の範囲】
【請求項１】
下側水平部材と上側水平部材との間に配置されるコンクリート壁と、
前記下側水平部材と前記コンクリート壁とを連結する連結材と、
前記上側水平部材と前記コンクリート壁の上端部との間に隙間を空けた状態で、前記上側水平部材と前記コンクリート壁とを連結するブラケットと、
を備えるコンクリート壁接合構造。
【請求項２】
前記ブラケットは、前記上側水平部材と前記コンクリート壁とを該コンクリート壁の面内方向に相対変位可能に連結する、
請求項１に記載のコンクリート壁接合構造。
【請求項３】
下側水平部材と上側水平部材との間に、現場打ちでコンクリート壁を施工するコンクリート壁施工方法であって、
前記下側水平部材と前記上側水平部材との間に前記コンクリート壁用の壁筋を配筋するとともに、前記上側水平部材から下方へ突出する仮設連結筋に前記壁筋を連結する壁筋配筋工程と、
前記壁筋の周囲に設けられた型枠内に、コンクリートを前記上側水平部材に付着しないように打設して前記コンクリート壁を施工するコンクリート打設工程と、
前記上側水平部材と前記コンクリート壁とをブラケットを介して連結するとともに、前記上側水平部材と前記コンクリート壁の上端部との隙間に露出した前記仮設連結筋を切断する上側水平部材連結工程と、
を備えるコンクリート壁施工方法。
【発明の詳細な説明】
【技術分野】
【０００１】
本発明は、コンクリート壁接合構造、及びコンクリート壁施工方法に関する。
【背景技術】
【０００２】
上下のスラブの間に建てられるコンクリート間仕切り壁等のコンクリート壁が知られている（例えば、特許文献１参照）。
【先行技術文献】
【特許文献】
【０００３】
【特許文献１】特開平５−３４００１２号公報
【発明の概要】
【発明が解決しようとする課題】
【０００４】
特許文献１に開示されたコンクリート壁は、上下のスラブにそれぞれ接合されている。これにより、地震時におけるコンクリート壁の倒れが抑制される。
【０００５】
しかしながら、上下のスラブにコンクリート壁を接合すると、地震時に上下のスラブが水平方向に相対変位した場合、その相対変位をコンクリート壁が吸収することができず、コンクリート壁が破損等する可能性がある。
【０００６】
本発明は、上記の事実を考慮し、地震時におけるコンクリート壁の倒れを抑制しつつ、地震時に下側水平部材と上側水平部材とが相対変位した場合でも、その相対変位を吸収可能にしてコンクリート壁の破損を抑制することを目的とする。
【課題を解決するための手段】
【０００７】
請求項１に記載のコンクリート壁接合構造は、下側水平部材と上側水平部材との間に配置されるコンクリート壁と、前記下側水平部材と前記コンクリート壁とを連結する連結材と、前記上側水平部材と前記コンクリート壁の上端部との間に隙間を空けた状態で、前記上側水平部材と前記コンクリート壁とを連結するブラケットと、を備える。
【０００８】
請求項１に係るコンクリート壁接合構造によれば、下側水平部材と上側水平部材との間にコンクリート壁が配置される。この下側水平部材とコンクリート壁とは、連結材によって連結される。一方、上側水平部材とコンクリート壁とは、ブラケットによって連結される。これにより、地震時におけるコンクリート壁の倒れが抑制される。
【０００９】
また、ブラケットは、上側水平部材とコンクリート壁の上端部との間に隙間を空けた状態で、上側水平部材とコンクリート壁とを連結する。これにより、地震時に、上側水平部材と下側水平部材とがコンクリート壁の面外方向に相対変位した場合、上側水平部材とコンクリート壁との相対変位を吸収可能になる。したがって、コンクリート壁の破損が抑制される。
【００１０】
請求項２に記載のコンクリート壁接合構造は、請求項１に記載のコンクリート壁接合構造において、前記ブラケットは、前記上側水平部材と前記コンクリート壁とを該コンクリート壁の面内方向に相対変位可能に連結する。
【００１１】
請求項２に係るコンクリート壁接合構造によれば、ブラケットは、上側水平部材とコンクリート壁とを当該コンクリート壁の面内方向に相対変位可能に連結する。これにより、地震時に、上側水平部材と下側水平部材とがコンクリート壁の面内方向に相対変位した場合、上側水平部材とコンクリート壁との相対変位を吸収可能になる。したがって、コンクリート壁の破損が抑制される。
【００１２】
請求項３に記載のコンクリート壁施工方法は、下側水平部材と上側水平部材との間に、現場打ちでコンクリート壁を施工するコンクリート壁施工方法であって、前記下側水平部材と前記上側水平部材との間に前記コンクリート壁用の壁筋を配筋するとともに、前記上側水平部材から下方へ突出する仮設連結筋に前記壁筋を連結する壁筋配筋工程と、前記壁筋の周囲に設けられた型枠内に、コンクリートを前記上側水平部材に付着しないように打設して前記コンクリート壁を施工するコンクリート打設工程と、前記上側水平部材と前記コンクリート壁とをブラケットを介して連結するとともに、前記上側水平部材と前記コンクリート壁の上端部との隙間に露出した前記仮設連結筋を切断する上側水平部材連結工程と、を備える。
【００１３】
請求項３に係るコンクリート壁施工方法によれば、先ず、壁筋配筋工程において、下側水平部材と上側水平部材との間にコンクリート壁用の壁筋を配筋するとともに、上側水平部材から下方へ突出する仮設連結筋に壁筋を連結する。このように仮設連結筋に壁筋を連結することにより、壁筋の倒れが抑制されるとともに、壁筋の位置決め等が容易になる。
【００１４】
次に、コンクリート打設工程において、壁筋の周囲に仮設された型枠内に、コンクリートを打設してコンクリート壁を施工する。この際、コンクリートが上側水平部材に付着しないようにする。これにより、上側水平部材とコンクリート壁の上端部との間に隙間が形成される。また、施工されたコンクリート壁は、仮設連結筋を介して上側水平部材と連結されている。これにより、後述する上側水平部材連結工程を実施するまでの間、コンクリート壁の倒れが抑制される。
【００１５】
次に、上側水平部材連結工程において、上側水平部材とコンクリート壁とをブラケットを介して連結するとともに、上側水平部材とコンクリート壁の上端部との隙間に露出した仮設連結筋を切断する。
【００１６】
ここで、上側水平部材とコンクリート壁とをブラケットを介して連結することにより、地震時におけるコンクリート壁の倒れが抑制される。
【００１７】
また、前述したように、上側水平部材とコンクリート壁の上端部との間には、隙間が形成される。この状態で、上側水平部材とコンクリート壁とがブラケットを介して連結される。さらに、上側水平部材とコンクリート壁の上端部との隙間に露出した仮設連結筋は切断される。これにより、地震時に、上側水平部材と下側水平部材とが水平方向に相対変位した場合、上側水平部材とコンクリート壁との面内及び面外の相対変位を吸収可能になる。したがって、コンクリート壁の破損が抑制される。
【発明の効果】
【００１８】
以上説明したように、本発明によれば、地震時におけるコンクリート壁の倒れを抑制しつつ、地震時に下側水平部材と上側水平部材とが相対変位した場合でも、その相対変位を吸収可能にしてコンクリート壁の破損を抑制することができる。
【図面の簡単な説明】
【００１９】
【図１】一実施形態に係るコンクリート壁接合構造が適用されたコンクリート壁を示す縦断面図である。
【図２】図１に示されるコンクリート壁の下端部を示す拡大縦断面図である。
【図３】図１に示されるコンクリート壁の上端部を示す拡大縦断面図である。
【図４】図３の４−４線断面図である。
【図５】図１に示されるコンクリート壁の施工過程（壁筋配筋工程）を示す図１に対応する縦断面図である。
【図６】図１に示されるコンクリート壁の施工過程（コンクリート打設工程）を示す図１に対応する縦断面図である。
【図７】図１に示されるコンクリート壁の施工過程を示す図３に対応する縦断面図である。
【図８】図１に示されるコンクリート壁の施工過程を示す図３に対応する縦断面図である。
【図９】図１に示されるコンクリート壁接合構造の変形例が適用されたコンクリート壁を示す図３に対応する縦断面図である。
【発明を実施するための形態】
【００２０】
先ず、一実施形態に係るコンクリート壁接合構造３０について説明する。
【００２１】
（下側スラブ及び上側スラブ）
図１には、本実施形態に係るコンクリート壁接合構造３０が適用された複数層の構造物（建物）１０が示されている。構造物１０は、鉄筋コンクリート造の下側スラブ１２及び上側スラブ１４を備えている。なお、下側スラブ１２は、下側水平部材の一例であり、上側スラブ１４は上側水平部材の一例である。
【００２２】
下側スラブ１２は、構造物１０の所定層（所定階）の床を形成している。上側スラブ１４は、下側スラブ１２の上階（直上階）の床を形成している。また、上側スラブ１４と下側スラブ１２とは、上下方向に対向して配置されている。この上側スラブ１４と下側スラブ１２との間には、コンクリート壁２０が建てられている。
【００２３】
（コンクリート壁）
コンクリート壁２０は、例えば、遮音性を有する間仕切り壁（コンクリート間仕切り壁）とされる。また、コンクリート壁２０は、鉄筋コンクリート造とされており、内部に壁筋２２が埋設されている。壁筋２２は、複数の縦壁筋２２Ａ及び横壁筋２２Ｂを有している。このコンクリート壁２０は、本実施形態に係るコンクリート壁接合構造３０によって上側スラブ１４及び下側スラブ１２に連結されている。
【００２４】
（コンクリート壁接合構造）
コンクリート壁接合構造３０は、コンクリート壁２０と下側スラブ１２との間に配置される絶縁板３２と、コンクリート壁２０と下側スラブ１２とを連結する連結筋３６と、コンクリート壁２０と上側スラブ１４とを連結するブラケット４０と、コンクリート壁２０の上面２０Ｕと上側スラブ１４の下面１４Ｌとの間に充填される目地材５８とを備えている。なお、連結筋３６は、連結材の一例である。
【００２５】
（絶縁板）
図２に示されるように、絶縁板３２は、下側スラブ１２の上面１２Ｕとコンクリート壁２０の下面２０Ｌとの間に設けられ、下側スラブ１２とコンクリート壁２０との縁を切る絶縁材とされている。この絶縁板３２は、例えば、ベニア板等によって形成されており、コンクリート壁２０の下面２０Ｌと下側スラブ１２の上面１２Ｕとの間に配置（介在）されている。また、絶縁板３２には、連結筋３６が貫通される貫通孔３４が形成されている。
【００２６】
（連結筋）
連結筋３６は、下側スラブ１２とコンクリート壁２０の下部とを、コンクリート壁２０の面外方向（矢印Ｔ方向）に相対変位可能（相対回転可能）に連結している。具体的には、連結筋３６は、コンクリート壁２０の幅方向（図４の矢印Ｗ方向）に間隔を空けて複数設けられている。各連結筋３６は、Ｌ字形状に屈曲された鉄筋（ずれ止め筋）によって形成されている。この連結筋３６は、横方向に延びる横筋部３６Ａと、縦方向（上下方向）に延びる縦筋部３６Ｂとを有している。
【００２７】
横筋部３６Ａは、下側スラブ１２の内部に埋設されており、下側スラブ１２に固定（定着）されている。この横筋部３６Ａの一端部から縦筋部３６Ｂが上方へ延出されている。縦筋部３６Ｂは、下側スラブ１２の上面１２Ｕから突出し、絶縁板３２の貫通孔３４を上下方向に貫通している。
【００２８】
また、縦筋部３６Ｂは、コンクリート壁２０の下面２０Ｌからコンクリート壁２０の内部に延出されており、コンクリート壁２０の下部に埋設（定着）されている。この連結筋３６によって、矢印Ｒで示されるように、コンクリート壁２０がその下端部を支点として、面外方向に回転可能に下側スラブ１２に連結されている。
【００２９】
なお、コンクリート壁２０の下端部における面外方向の両側には、コンクリート壁２０の幅方向に延びる溝状目地部２４がそれぞれ形成されている。溝状目地部２４は、コンクリート壁２０の下端部の両側の角部を溝状に切り欠く（面取り）ことにより形成されている。これらの溝状目地部２４によって、コンクリート壁２０の下端部の壁厚が部分的に薄くされている。これにより、コンクリート壁２０がその下端部を支点として、コンクリート壁２０の面外方向に回転し易くなっている。また、溝状目地部２４には、シール材２６が充填されている。
【００３０】
（ブラケット）
図３に示されるように、ブラケット４０は、コンクリート壁２０の倒れを抑制するために、コンクリート壁２０と上側スラブ１４とを連結する。具体的には、ブラケット（ファスナー）４０は、例えば、コンクリート壁２０の幅方向（図４の矢印Ｗ方向）の間隔を空けて複数設けられている。また、各ブラケット４０は、鋼板等によって断面Ｌ字形状に形成されており、上側スラブ１４の下面１４Ｌとコンクリート壁２０の上部の表面２０Ｓとに亘って配置されている。
【００３１】
ブラケット４０は、横フランジ部４０Ａ及び縦フランジ部４０Ｂを有している。横フランジ部４０Ａは、上側スラブ１４の下面１４Ｌに重ねられた状態で、ボルト４２によって上側スラブ１４に固定されている。なお、横フランジ部４０Ａには、ボルト４２が挿入される貫通孔４６が形成されている。また、上側スラブ１４には、ボルト４２が締結される埋込みナット４４が埋設されている。
【００３２】
縦フランジ部４０Ｂは、コンクリート壁２０の上部の表面２０Ｓに馬蹄型の滑り材５０（図４参照）を介して重ねられ、さらに、馬蹄型の滑り材５１と角座金５３を介して、ボルト５２によってコンクリート壁２０に遊嵌状態で連結されている。つまり、コンクリート壁２０の上部には、馬蹄型の滑り材５０、縦フランジ部４０Ｂ、馬蹄型の滑り材５１、角座金５３、ボルト５２がこの順序で取り付けられている。
【００３３】
なお、コンクリート壁２０の上部には、ボルト５２が締結される埋込みナット５４が埋設されている。また、滑り材５０，５１は、ステンレス製が好適である。また、滑り材５０，５１は、省略可能である。また、滑り材５０，５１を馬蹄型にしたことにより、ボルト５２を螺合する前に、容易に挟装することが可能である。なお、滑り材５０，５１は、いずれも馬蹄型でなく、円形の貫通孔でも好適である。
【００３４】
図４に示されるように、縦フランジ部４０Ｂには、ボルト５２が挿入される貫通孔５６が形成されている。貫通孔５６は、コンクリート壁２０の幅方向（矢印Ｗ方向）に延びる長孔（横ルーズ孔）とされている。これにより、ボルト５２が貫通孔５６に沿ってコンクリート壁２０の幅方向の移動可能されている。このブラケット４０によって、上側スラブ１４とコンクリート壁２０とが、コンクリート壁２０の面内方向（幅方向）に相対変位可能に連結されている。
【００３５】
（目地材）
図３に示されるように、目地材５８は、上側スラブ１４の下面１４Ｌとコンクリート壁２０の上面２０Ｕと間に形成された隙間Ｄに充填されている。また、目地材５８は、例えば、ロックウール等によって形成されている。この目地材５８によって、上側スラブ１４とコンクリート壁２０との隙間Ｄが塞がされる。これにより、コンクリート壁２０の遮音性能や耐火性能が高められている。
【００３６】
（仮設連結筋）
コンクリート壁２０及び上側スラブ１４には、後述するように、コンクリート壁２０の施工時に、コンクリート壁２０と上側スラブ１４とを一時的に連結する仮設連結筋１６が埋設されている。仮設連結筋１６は、Ｌ字形状に屈曲された鉄筋（ずれ止め筋）によって形成されている。この仮設連結筋１６は、横方向に延びる横筋部１６Ａと、縦方向（上下方向）に延びる縦筋部１６Ｂとを有している。
【００３７】
横筋部１６Ａは、上側スラブ１４の内部に埋設されており、上側スラブ１４に固定（定着）されている。この横筋部１６Ａの一端部から縦筋部１６Ｂが下方へ延出されている。縦筋部１６Ｂは、上側スラブ１４の下面１４Ｌから突出されている。この縦筋部１６Ｂは、コンクリート壁２０の上面２０Ｕからコンクリート壁２０の内部に延出されており、コンクリート壁２０に埋設（定着）されている。この縦筋部１６Ｂは、後述するように、上側スラブ１４とコンクリート壁２０との間（隙間Ｄ）で切断される。
【００３８】
（コンクリート壁施工方法）
次に、本実施形態に係るコンクリート壁施工方法の一例について説明する。
【００３９】
本実施形態では、下側スラブ１２と上側スラブ１４との間に、現場打ちでコンクリート壁２０を施工する。
【００４０】
（壁筋配筋工程）
先ず、壁筋配筋工程について説明する。図５に示されるように、壁筋配筋工程では、下側スラブ１２の上面１２Ｕ上に絶縁板３２を設置する。この際、下側スラブ１２の上面１２Ｕから突出する連結筋３６の縦筋部３６Ｂを、絶縁板３２に形成された貫通孔３４（図２参照）に挿入する。
【００４１】
なお、連結筋３６は、下側スラブ１２の施工時に下側スラブ１２に埋設するか、若しくは後施工アンカーによって下側スラブ１２に埋設する。また、連結筋３６は、例えば、コンクリート壁２０の幅方向（図４の矢印Ｗ方向）に間隔を空けて複数設けられる。
【００４２】
次に、下側スラブ１２と上側スラブ１４との間にコンクリート壁２０用の壁筋２２を配筋する。この際、上側スラブ１４の下面１４Ｌから下方へ突出する仮設連結筋１６の縦筋部１６Ｂに、壁筋２２の上部を図示しない結束線によって連結する。また、下側スラブ１２の上面１２Ｕから上方へ突出する連結筋３６の縦筋部３６Ｂに、壁筋２２の下部を図示しない結束線によって連結する。これにより、壁筋２２を位置決めするとともに、壁筋２２の倒れを抑制する。
【００４３】
なお、仮設連結筋１６は、例えば、上側スラブ１４の施工時に、上側スラブ１４に埋設するか、若しくは後施工アンカーによって上側スラブ１４に埋設する。この仮設連結筋１６は、例えば、コンクリート壁２０の幅方向に間隔を空けて複数設けられる。
【００４４】
（コンクリート打設工程）
次に、コンクリート打設工程について説明する。図６に示されるように、コンクリート打設工程では、先ず、壁筋２２の周囲に、下端部に目地棒６０を取り付けた型枠６２を仮設する。次に、型枠６２内にコンクリートを打設し、コンクリート壁２０を施工する。この際、上側スラブ１４の下面１４Ｌに付着しないようにコンクリートを打設し、上側スラブ１４の下面１４Ｌとコンクリートとの間に隙間Ｄを形成する。この状態で、コンクリートを硬化させ、コンクリート壁２０を形成する。
【００４５】
次に、図７に示されるように、型枠６２を撤去する。また、コンクリート壁２０の下端部の両側から目地棒６０を撤去し、溝状目地部２４（図２参照）を形成する。そして、形成された溝状目地部２４にシール材２６をそれぞれ充填する。
【００４６】
（上側水平部材連結工程）
次に、図７に示されるように、上側スラブ１４とコンクリート壁２０とをブラケット４０を介して連結する。具体的には、上側スラブ１４の下面１４Ｌとコンクリート壁２０の表面２０Ｓとに亘るようにブラケット４０を配置する。そして、横フランジ部４０Ａを上側スラブ１４の埋込みナット４４にボルト４２で締結するとともに、縦フランジ部４０Ｂをコンクリート壁２０の埋込みナット５４にボルト５２で締結する。
【００４７】
なお、埋込みナット４４は、上側スラブ１４の施工時に、上側スラブ１４に埋設するか、若しくは後施工によって上側スラブ１４に埋設する。これと同様に、埋込みナット５４は、コンクリート壁２０の施工時に、コンクリート壁２０に埋設するか、若しくは後施工によってコンクリート壁２０に埋設する。なお、本実施形態では、コンクリート壁２０の施工時に、埋込みナット５４をコンクリート壁２０に埋設している。
【００４８】
次に、図８に示されるように、上側スラブ１４の下面１４Ｌとコンクリート壁２０の上端部との隙間Ｄに露出した仮設連結筋１６を図示しない切断具によって切断する。これにより、仮設連結筋１６による上側スラブ１４とコンクリート壁２０との連結状態を解除する。この結果、上側スラブ１４とコンクリート壁２０とが、コンクリート壁２０の面内方向（幅方向）に相対変位可能になるとともに、コンクリート壁２０の面外方向に相対変位可能（回転）になる。
【００４９】
なお、仮設連結筋１６は、コンクリート壁２０の側面に支持サポート等の倒れ防止策を施した上で、ブラケット４０によって上側スラブ１４とコンクリート壁２０とを連結する前に切断しても良い。
【００５０】
（充填材充填工程）
次に、充填材充填工程について説明する。図８に示されるように、充填材充填工程では、上側スラブ１４の下面１４Ｌとコンクリート壁２０の上端部との間に形成された隙間Ｄに、ロックウール等の目地材５８を充填し、隙間Ｄを塞ぐ。これにより、コンクリート壁２０の遮音性能や耐火性能が高められる。
【００５１】
（作用）
次に、本実施形態の作用について説明する。
【００５２】
（コンクリート壁接合構造）
図１に示されるように、本実施形態に係るコンクリート壁接合構造３０では、下側スラブ１２と上側スラブ１４との間にコンクリート壁２０が配置されている。この下側スラブ１２とコンクリート壁２０とは、連結筋３６によって連結されている。一方、上側スラブ１４とコンクリート壁２０とは、ブラケット４０によって連結されている。これにより、地震時におけるコンクリート壁２０の倒れが抑制される。
【００５３】
また、ブラケット４０は、上側スラブ１４の下面１４Ｌとコンクリート壁２０の上端部との間に隙間Ｄ（図３参照）を空けた状態で、上側スラブ１４とコンクリート壁２０とを連結する。これにより、地震時に、上側スラブ１４と下側スラブ１２とがコンクリート壁２０の面外方向に相対変位した場合に、コンクリート壁２０がその下端部を支点として面外方向に回転する（傾く）。このコンクリート壁２０の回転によって、上側スラブ１４と下側スラブ１２とのコンクリート壁２０の面外方向の相対変位が吸収される。したがって、地震時におけるコンクリート壁２０の破損が抑制される。
【００５４】
このように本発明では、地震時におけるコンクリート壁２０の倒れを抑制しつつ、下側スラブ１２と上側スラブ１４とが相対変位を吸収することができる。したがって、コンクリート壁２０の破損が抑制される。
【００５５】
また、図２に示されるように、コンクリート壁２０と下側スラブ１２とは、連結筋３６を介してコンクリート壁２０の面外方向に回転可能に連結されている。さらに、コンクリート壁２０と下側スラブ１２とは、絶縁板３２によって縁が切られている。さらにまた、コンクリート壁２０の下端部における面外方向両側には、溝状目地部２４がそれぞれ形成されている。そのため、コンクリート壁２０の下端部の壁厚が部分的に薄くなっている。これにより、地震時に、上側スラブ１４と下側スラブ１２とがコンクリート壁２０の面外方向に相対変位した場合に、コンクリート壁２０が下端部を支点として面外方向に回転し易くなる。したがって、地震時におけるコンクリート壁２０の破損がさらに抑制される。
【００５６】
また、図４に示されるように、ブラケット４０の縦フランジ部４０Ｂの貫通孔５６は、コンクリート壁２０の幅方向に延びる長孔とされている。これにより、地震時に、上側スラブ１４と下側スラブ１２とがコンクリート壁２０の幅方向に相対変位した場合に、ボルト５２が貫通孔５６に沿って水平方向にスライドする。このボルト５２のスライドによって、上側スラブ１４と下側スラブ１２とのコンクリート壁２０の面内方向の相対変位が吸収される。したがって、地震時におけるコンクリート壁２０の破損が抑制される。
【００５７】
さらに、ブラケット４０の縦フランジ部４０Ｂとコンクリート壁２０の表面２０Ｓとの間には、滑り材５０が設けられている。また、縦フランジ部４０Ｂと角座金５３との間には、滑り材５１が設けられている。これにより、地震時に、上側スラブ１４と下側スラブ１２とがコンクリート壁２０の幅方向に相対変位した場合に、ブラケット４０の縦フランジ部４０Ｂとコンクリート壁２０とがコンクリート壁２０の幅方向に相対変位し易くなる。したがって、コンクリート壁２０の破損が抑制される。
【００５８】
また、上側スラブ１４とコンクリート壁２０との隙間Ｄは、ロックウール等の目地材５８によって塞がれている。これにより、コンクリート壁２０の遮音性能や耐火性能を高めることができる。
【００５９】
さらに、目地材５８は、上側スラブ１４とコンクリート壁２０とが相対変位した場合に変形するため、上側スラブ１４とコンクリート壁２０との相対変位を阻害しない。つまり、本実施形態では、上側スラブ１４とコンクリート壁２０との隙間Ｄに目地材５８を設けることにより、地震時におけるコンクリート壁２０の破損を抑制しつつ、コンクリート壁２０の遮音性能や耐火性能を高めることができる。
【００６０】
（コンクリート壁施工方法）
本実施形態に係るコンクリート壁施工方法では、下側スラブ１２と上側スラブ１４との間に、コンクリート壁２０を現場打ちで施工する。ここで、比較例として、例えば、下側スラブ１２と上側スラブ１４との間に、プレキャスト化されたコンクリート壁（以下、「ＰＣａコンクリート壁」という）を設置することが考えられる。しかしながら、この場合、ＰＣａコンクリート壁の搬入動線や、施工空間、ＰＣａコンクリート壁を揚重する揚重機器の設置場所の確保等が必要となり、ＰＣａ間仕切り壁の建込等が困難になる。
【００６１】
これに対して本実施形態では、前述したように、下側スラブ１２と上側スラブ１４との間に、コンクリート壁２０を現場打ちで施工するため、コンクリート壁２０の施工性が向上する。
【００６２】
また、本実施形態では、壁筋配筋工程において、コンクリート壁２０用の壁筋２２の上部を上側スラブ１４から下方へ突出する仮設連結筋１６に連結するとともに、壁筋２２の下部を下側スラブ１２から上方へ突出する連結筋３６に連結する。これにより、壁筋２２の倒れが抑制されるとともに、壁筋２２の位置決め等が容易になる。
【００６３】
また、仮設連結筋１６は、コンクリート打設工程において施工されたコンクリート壁２０と上側スラブ１４とを連結する。これにより、コンクリート壁２０の倒れも抑制される。
【００６４】
さらに、コンクリート打設工程では、型枠６２内にコンクリートを打設する際に、コンクリートが上側スラブ１４に付着しないようにする。これにより、上側スラブ１４とコンクリート壁２０の上端部との間に隙間Ｄが形成される。この隙間Ｄには、仮設連結筋１６が露出する。したがって、上側水平部材連結工程において、仮設連結筋１６を容易に切断することができる。
【００６５】
（変形例）
次に、上記実施形態の変形例について説明する。
【００６６】
上記実施形態では、上側スラブ１４とコンクリート壁２０との隙間Ｄに目地材５８を充填したが、目地材５８は省略可能である。
【００６７】
また、上記実施形態では、コンクリート壁２０の施工時に、コンクリート壁２０と上側スラブ１４とを仮設連結筋１６によって一時的に連結したが、仮設連結筋１６は、省略可能である。この場合、コンクリート壁２０は、例えば、サポートで支持する。
【００６８】
また、上記実施形態では、ブラケット４０の縦フランジ部４０Ｂの貫通孔５６を長孔としたが、上記実施形態はこれに限らない。例えば、ブラケット４０の横フランジ部４０Ａの貫通孔４６を、コンクリート壁２０の幅方向に延びる長孔にしても良いし、縦フランジ部４０Ｂの貫通孔５６及び横フランジ部４０Ａの貫通孔４６をそれぞれコンクリート壁２０の幅方向に延びる長孔にしても良い。
【００６９】
また、上側スラブ１４とコンクリート壁２０とは、貫通孔５６（長孔）に限らず、他の方法によって、コンクリート壁２０の面内方向（幅方向）の相対変位可能に連結することも可能である。例えば、図９（Ａ）及び図９（Ｂ）に示される変形例では、コンクリート壁２０の表面２０Ｓに、連結プレート７０が固定されている。
【００７０】
連結プレート７０は、稲妻型（クランク状）に屈曲されている。この連結プレート７０は、固定部７０Ａと、固定部７０Ａの端部（上端部）に屈曲部を介して接続された挟持部７０Ｂとを有している。固定部７０Ａは、コンクリート壁２０の表面２０Ｓに重ねられた状態で、ボルト５２により固定されている。なお、固定部７０Ａには、ボルト５２用の貫通孔７２が形成されている。この貫通孔７２は、長孔ではなく、円形状の孔とされている。
【００７１】
一方、挟持部７０Ｂは、コンクリート壁２０の表面２０Ｓと対向して配置されている。この挟持部７０Ｂとコンクリート壁２０の表面２０Ｓとの隙間に、ブラケット４０の縦フランジ部４０Ｂがコンクリート壁２０の面内方向（幅方向）にスライド可能に挿入されている。この連結プレート７０とブラケット４０によって、上側スラブ１４とコンクリート壁２０とが、コンクリート壁２０の面内方向（幅方向）に相対変位可能に連結されている。
【００７２】
また、挟持部７０Ｂにおけるコンクリート壁２０との対向面には、滑り材７４が設けられている。また、ブラケット４０の縦フランジ部４０Ｂにおけるコンクリート壁２０側の面には、滑り材７６が設けられている。これらの滑り材７４，７６によって、ブラケット４０の縦フランジ部４０Ｂが、挟持部７０Ｂ及びコンクリート壁２０に対してスライドし易くなっている。なお、滑り材７４，７６は、適宜省略可能である。
【００７３】
また、ブラケット４０は、必ずしも上側スラブ１４とコンクリート壁２０とを、コンクリート壁２０の面内方向に相対変位可能に連結しなくても良い。
【００７４】
また、上記実施形態では、コンクリート壁２０と下側スラブ１２との間に絶縁板３２が設けられるが、絶縁板３２は省略可能である。
【００７５】
また、上記実施形態では、コンクリート壁２０の下端部の溝状目地部２４にシール材２６が充填されるが、シール材２６は省略可能である。また、溝状目地部２４も省略可能である。
【００７６】
また、上記実施形態では、コンクリート壁２０と下側スラブ１２とが連結筋３６を介して連結されるが、コンクリート壁２０と下側スラブ１２との接合構造は適宜変更可能である。
【００７７】
また、上記実施形態では、下側水平部材が下側スラブとされるが、下側水平部材は、例えば、梁（小梁も含む）等であっても良い。これと同様に、上記実施形態では、上側水平部材が上側スラブとされるが、上側水平部材は、例えば、梁（小梁も含む）等であっても良い。
【００７８】
なお、下側水平部材及び上側水平部材は、新築であっても良いし、既存（既設）であっても良い。
【００７９】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８０】
１２  下側スラブ（下側水平部材）
１４  上側スラブ（上側水平部材）
１６  仮設連結筋
２０  コンクリート壁
２２  壁筋（コンクリート壁の壁筋）
３０  コンクリート壁接合構造
３６  連結筋（連結材）
４０  ブラケット
６２  型枠
Ｄ    隙間（上側水平部材とコンクリート壁の上端部との隙間）
【図１】
2020007780.tif 000003
【図２】
2020007780.tif 000004
【図３】
2020007780.tif 000005
【図４】
2020007780.tif 000006
【図５】
2020007780.tif 000007
【図６】
2020007780.tif 000008
【図７】
2020007780.tif 000009
【図８】
2020007780.tif 000010
【図９】
2020007780.tif 000011